(57)【特許請求の範囲】
【請求項１】
流体を移送する流体路と、挿入部の先端部に設けられた先端構成部材と、対物系の光学窓を有し前記先端構成部材の前側に取り付けられるレンズカバー部と、前記流体路の先端部に設けた前記光学窓に流体を噴出するための少なくとも一つの流体ノズルと、を有する内視鏡において、
前記レンズカバー部と前記先端構成部材とを組み立てることにより、ノズル上面部及びノズル下面部が対向して前記流体ノズルを形成できるように、当該流体ノズルを構成するノズル上面部を前記光学窓を設けてある面側に向くように前記レンズカバー部に形成するとともに、ノズル下面部を前記先端構成部材に形成し、
前記ノズル上面部は前記光学窓の表面に向かって流体を噴出させる方向が前記光学窓の表面に対して斜めとなるように前記レンズカバー部に形成したこと特徴とする内視鏡。
【請求項２】
流体を移送する流体路と、挿入部の先端部に設けられた先端構成部材と、光学窓を有する光学窓部材と、各開口が前記光学窓の表面の略同一の点に向けて開口している少なくとも２つの流体ノズルと、を有する内視鏡において、
ノズル下面部を形成した単一の前記先端構成部材と、ノズル上面部が形成されると共に前記先端構成部材の先端面に当接して取り付けられる単一のノズル形成部材とから前記少なくとも２つの流体ノズルを構成すると共に、
前記光学窓の表面に向かって流体を噴出させる方向が前記光学窓の表面に対して斜めとなるように、前記流体ノズルを配置し構成している、ことを特徴とする内視鏡。
【発明の詳細な説明】
【０００１】
【産業上の利用分野】
本発明は、光学窓に流体を噴出させる流体ノズルを有する内視鏡に関する。
【０００２】
【従来の技術】
対物カバーガラスの表面を洗滌用ノズルから噴出される水によって洗滌し、噴出されるガスによって水滴の除去を行う内視鏡装置においては、確実に対物カバーガラス表面の洗滌を行ったり、水滴の除去を行うためには、洗滌用ノズルからの流体の噴出方向は、対物カバーガラスの表面と平行の方向ではなく表面に向かう方向が望ましい。
【０００３】
洗滌用ノズルの開口を対物カバーガラス表面に向けた洗滌用ノズルとしては、特公昭６１−１１０８６号公報に、パイプの一端を偏平に形成し、その先端を噴出口とし、先端近傍において、偏平に形成した部分を９０°以上の角度で屈曲させ、噴出口が対物カバーガラスの表面に向くように形成されるものの製法が開示されている。
【０００４】
しかしながら、細いパイプを切断したり、曲げ加工を行う必要があるため製法に手間がかかり、製作の自動化も困難なため、高価である。
【０００５】
又このような製法の洗滌用ノズルを用いない例として実公昭５７−３６１６５号公報には、先端部に設けられたフードから突出片を送気、送水用の送通路の出口に向けて張り出させ、張り出し角度を送通路の出口に向けて鋭角的に構成して流体を対物レンズの表面に向け、対物レンズを効果的に洗滌するものが開示されている。
【０００６】
しかしながら、内視鏡先端部とは別にフードを製作しなければならず、又、組み立てる手間があるため、内視鏡の先端部分を安価に製造することができなかった。又、内視鏡の先端部にフードを外嵌する構成のため、外径が太くなるという欠点があった。又、フードに水がたまり易く、水切れが悪かった。
【０００７】
又、ノズルと対物カバーガラスとを一体に形成し、一部品としたものが実開昭５７−４２８０３号公報に開示されているが以下のような欠点がある。
【０００８】
（１）噴出口の上部の内面が観察窓に対して平行な面であるため噴出する水及び空気が観察窓に向かって噴出せず、大部分の水及び空気が観察窓に対して水平の方向に向かって噴出するため送水の幅や空気の幅が広がらず良好な洗滌力、及び残水の除去能力が得られないという欠点がある。
【０００９】
（２）噴出口の内面を形成するためには、一般的な射出形成法によって成形を行う場合、アンダーカット部となる噴出口の内面はスライド型を用いなければならず、カバーガラスの外表面と噴出口の内面を連続した面とした場合、型開きの工程時、噴出口を形成するためのスライド型がカバーガラス外表面に沿って移動する。このため、スライド型がカバーガラス外表面とすれて傷が形成され易く、カバーガラスの外表面の寸法精度が悪くなり、所望の光学性能が得られないという欠点がある。又洗滌性や、残水の除去能力が悪くなる。
【００１０】
一方、内視鏡には患者の体腔内で使用した後、その内視鏡を洗浄・消毒するが、この洗浄・消毒は非常に時間がかかる。そこで、近年、内視鏡検査をする際に、従来の繰り返し使用型の内視鏡に替えて、使い捨て型のカバー式内視鏡が提案されている。
【００１１】
このカバー式内視鏡は、内視鏡挿入部等の外周を覆う内視鏡カバーと、内視鏡カバーに挿入するカバー用内視鏡との組み合わせからなるものである。
【００１２】
このカバー式内視鏡は軟性の梱包材に梱包され、滅菌状態を維持できるようになっている。このため、内視鏡カバーを装着する実装用バグが容器に収納される構成となっているが、実装用バグを渦巻き状に収納する構成のため、容器の体積が大きくなる。
【００１３】
内視鏡カバーは原則として検査毎に使い捨てにされるため、病院、検査機関においては多数の内視鏡カバーを使用する。容器の体積が大きい場合、検査前及び、検査後の容器の輸送時や保管時に非常に大きなスペースを必要とする。又、廃棄する際には、かさばってしまい廃棄性が悪いという不具合がある。
【００１４】
また、容器は内容物の変形や破損を防止するために容器を硬性の材料を用いたり、容器自体に外部からの衝撃に対する緩衝材の役目を持つ材料にて構成したり、容器内に緩衝材を内蔵しなければならず、容器のコストが高くなるという不具合がある。
【００１５】
さらに、内視鏡カバーを渦巻き状に収納する構成のため、挿入部カバーに曲がり癖や折れ癖がつき、カバー式内視鏡の挿入部を挿入部カバーに挿入することが困難だったり、検査時の、湾曲操作時に湾曲性能に悪影響を与えるという不具合がある。
【００１６】
【発明が解決しようとする課題】
前述したように、従来のノズルの構成では、細いパイプを切断したり、曲げ加工を行う必要があり、あるいは内視鏡先端部とは別にフードを製作するといった、製作上、手間がかかり、製作の自動化も困難なため高価であった。
【００１７】
また、前述したノズルと対物カバーとを一体に形成する構成のものでは、比較的安価に製作できそうであるが、製作を容易にするため、噴出口の上部の内面が観察窓に対して平行に形成されるので、大部分の水及び空気が観察窓に対して水平の方向に向かって噴出し、洗滌力及び残水の除去能力が不十分となる。
【００１８】
さらに、一般的な射出形成法によって成形を行う際に用いるスライド型が、カバーガラス外表面に沿って移動するため、カバーガラス外表面に傷が形成され、カバーガラスの外表面の寸法精度が悪くなり、所望の光学性能が得られないという欠点がある。又洗滌性や、残水の除去能力が悪くなる。
【００１９】
本発明は前記事情ににかかんがみてなされたもので、ノズルより噴出する水及び空気が観察窓の表面に向かって噴出し、かつ観察窓の表面が円滑で表面精度が良いため、洗滌力及び残水の除去能力が良く、ノズル部分が大量かつ安価に製造可能な内視鏡を提供することを目的としている。
【００２０】
【課題を解決するための手段】
本発明の第１の内視鏡は、流体を移送する流体路と、挿入部の先端部に設けられた先端構成部材と、対物系の光学窓を有し前記先端構成部材の前側に取り付けられるレンズカバー部と、前記流体路の先端部に設けた前記光学窓に流体を噴出するための少なくとも一つの流体ノズルと、を有する内視鏡において、前記レンズカバー部と前記先端構成部材とを組み立てることにより、ノズル上面部及びノズル下面部が対向して前記流体ノズルを形成できるように、当該流体ノズルを構成するノズル上面部を前記光学窓を設けてある面側に向くように前記レンズカバー部に形成するとともに、ノズル下面部を前記先端構成部材に形成し、前記ノズル上面部は前記光学窓の表面に向かって流体を噴出させる方向が前記光学窓の表面に対して斜めとなるように前記レンズカバー部に形成したこと特徴とする。
また、本発明の第２の内視鏡は、流体を移送する流体路と、挿入部の先端部に設けられた先端構成部材と、光学窓を有する光学窓部材と、各開口が前記光学窓の表面の略同一の点に向けて開口している少なくとも２つの流体ノズルと、を有する内視鏡において、ノズル下面部を形成した単一の前記先端構成部材と、ノズル上面部が形成されると共に前記先端構成部材の先端面に当接して取り付けられる単一のノズル形成部材とから前記少なくとも２つの流体ノズルを構成すると共に、前記光学窓の表面に向かって流体を噴出させる方向が前記光学窓の表面に対して斜めとなるように、前記流体ノズルを配置し構成している、ことを特徴とする。
【００２３】
【実施例】
図を参照して本発明の実施例について、以下に説明する。
図１ないし図７は本発明の第１実施例に係り、図１は内視鏡装置の全体構成を示した構成図、図２は挿入部カバー部の先端側斜視図、図３はカバー式内視鏡の先端正面図、図４はカバー式内視鏡の先端側縦断面図、図５は送気、送水の流れを説明するための縦断面図、図６は送水の流れを説明するための先端正面図、図７は送気の流れを説明するための先端正面図である。
【００２４】
本実施例の内視鏡装置は、カバー式内視鏡１と、このカバー式内視鏡１が接続される流体制御装置２とを備えて構成されている。カバー式内視鏡１は、内視鏡カバー３と、この内視鏡カバー３に装着されるカバー用内視鏡４との組み合わせからなっている。
【００２５】
内視鏡検査を行う際には、清潔な内視鏡カバー３によって、カバー用内視鏡４の挿入部等は覆われ、検査後には、内視鏡カバー３は廃棄される。一方、カバー用内視鏡４は、新しい清潔な内視鏡カバー３によって覆われ、繰り返し使用されるようになっている。
【００２６】
内視鏡カバー３は、軟性の挿入部カバー部５と、この挿入部カバー部５の先端に設けられた先端カバー部６と、挿入部カバー部５の基端に設けられた基端構成部７とから構成されている。
【００２７】
先端カバー部６には、送気ノズル８，送水ノズル９，及び吸引口１０が設けられている。
【００２８】
前記挿入部カバー部５には吸引管路１１が挿通されており、この吸引管路１１は、先端側にて前記吸引口１０と連通し、基端側では前記基端構成部７に設けられた鉗子挿入口１２に連通し、基端構成部７より外部へ延出している。前記鉗子挿入口１２には、鉗子栓１３が着脱自在に設けられており、鉗子挿入口１２と大気との連通を遮断している。
また、挿入部カバー部５には、送気管路１４及び送水管路１５が挿通されており、先端側で送気ノズル８，送水ノズル９にそれぞれ連通し、基端構成部７より外部へ延出している。
【００２９】
前記流体制御装置２には、吸引制御弁１６、吸引リーク弁１７、送気制御弁１８、送気リーク弁１９、送水制御弁２０が設けられている。これらの弁は、吸引管路１１等を構成する流体が内部を流れる軟性チューブを弁体にはさんで、前記軟性チューブをつぶすことによって流路を開閉するいわゆるピンチバルブ方式の電磁弁で構成されている。
【００３０】
また、流体制御装置２には、これらの電磁弁を動作制御して送気、送水、吸引動作を行う制御部２１と、空気を送気管路１４等へ送る送気ポンプ２２と、カバー用内視鏡４へ照明光を供給する光源２３とが設けられている。
【００３１】
前記カバー用内視鏡４は、細長の挿入部２４と、挿入部２４の基端部に連設された把持部を兼ねた操作部２５とを備えて構成されている。操作部２５の側部からはユニバーサルコード２６が延出しており、ユニバーサルコード２６の端部にはコネクタ２７が設けられ、このコネクタ２７を介してカバー用内視鏡４が流体制御装置２と接続されるようになっている。
【００３２】
カバー用内視鏡４の挿入部２４，操作部２５，ユニバーサルコード２６の内部にはライトガイド２８が配設されており、前記光源２３によって供給される照明光がライトガイド２８によって内視鏡４の先端部に設けられた照明光学系２９に導光され、前記内視鏡カバー３の先端カバー部６に設けられた光学窓にあたる図２に示すレンズカバー部３５を通して、体腔内に被検部位を照明できるようになっている。
【００３３】
また、挿入部２４の先端部には対物光学系３０が配置され、この対物光学系３０の結像位置にＣＣＤ等の撮像素子３１が配置されており、撮像素子３１の撮像面上には対物光学系３０によって光学像が結像されるようになっている。この光学像は撮像素子３１によって光電変換されて電気的信号となり、画像信号線３２を介してビデオプロセッサ等の信号処理装置３３に入力され、標準的な映像信号に変換されて内視鏡画像を表示するモニタ３４に出力されるようになっている。なお、前記信号処理装置３３及び光源２３は、流体制御装置２と別体として別装置にしても良い。
【００３４】
吸引管路１１は、吸引制御弁１６に着脱自在に装着され、基端側が流体制御装置２の近傍に設けられた吸引ビン４６に接続されている。この吸引ビン４６の他方には吸引源４５が接続されている。また、吸引管路１１は、吸引制御弁１６よりも吸引源４５側で一端が開口した吸引リーク管路４７が分岐しており、この吸引リーク管路４７は吸引管路１１と開口の途中で吸引リーク弁１７に着脱自在に装着されている。
【００３５】
送気管路１４は、送気制御弁１８に着脱自在に装着され、この送気制御弁１８よりも送気ポンプ２２側には一端に開口を有する送気リーク管路４１が分岐しており、この送気リーク管路４１は開口までの途中で送気リーク弁１９に着脱自在に装着されている。また、送気管路１４は、送気制御弁１８よりも送気ポンプ２２側に設けられた分岐コネクタ４２の内部において開口端を送水タンク４３に接続された送水用加圧管路４４が分岐した後、基端側が送気ポンプ２２に接続されている。
【００３６】
前記送水管路１５は、送水制御弁２０に着脱自在に装着され、基端側が送水タンク４３に接続されている。
【００３７】
内視鏡操作部２５には、送気及び送水を操作指示する送気・送水スイッチ４８と、吸引を操作指示する吸引スイッチ４９とが設けられている。
【００３８】
送気・送水スイッチ４８は２段スイッチで構成され、１段押し込むことによって図示しない送気スイッチが、２段押し込むことによって図示しない送水スイッチが通電するようになっている。これらのスイッチはユニバーサルコード２６内に配設された制御信号線５０を介して流体制御装置２の制御部２１と電気的に接続され、送気・送水スイッチ４８、吸引スイッチ４９からの遠隔操作によって、制御部２１を介して送気、送水、吸引の制御を行うことができるようになっている。
【００３９】
図２ないし図４に挿入部カバー部５の先端カバー部６の構成を示す。
【００４０】
先端カバー部６は、前記光学窓部材であるレンズカバー部３５と、内視鏡先端部３６が収納される前記先端構成部材である先端部本体５１とより構成されている。図４に示すように、レンズカバー部３５には送気ノズル上面部５２及び送水ノズル上面部５３が一体に設けられており、ＰＭＭＡ，ＰＣ，ＰＳ等のような透明な光学用樹脂で射出成形法によって成形されている。先端部本体５１には送気ノズル下面部５４が一体に設けられており、前記送気管路１４と連通した送気口５５が開口している。又先端部本体５１には送水ノズル下面部５６が設けられており、前記送水管路１５と連通した送水口５７が開口している。又、前記吸引管路１１と連通した吸引口１０が設けられている。
【００４１】
レンズカバー部３５は先端部本体５１に設けられたレンズカバー受け部５８に接着又は溶着等によって、水密、気密に接合されている。このレンズカバー部３５と、先端部本体５１が接合された状態で、前記送気ノズル上面部５２と送気ノズル下面部５４とから、前記送気ノズル８が形成されている。又、前記送水ノズル上面部５３と送水ノズル下面部５６とから、前記送水ノズル９が形成されている。
【００４２】
送水ノズル上面部５２の一部と送水ノズル上面部５３の一部は、レンズカバー部３５の表面に対して、角度α、例えば５°〜３０°の角度を有する斜面として構成されている。
【００４３】
又、送気ノズル下面部５４の一部及び送水ノズル下面部５６の一部はレンズカバー部３５の表面に対して、角度β例えば０°〜３０°の角度を有する斜面として構成されている。このため、送気ノズル８及び送水ノズル９の流体の流出方向はレンズカバー部３５の表面に対してレンズカバー部３５の斜め前方より流出する構成となっている。
【００４４】
又、図３に示すように送気ノズル８及び送水ノズル９は、レンズカバー部３５の表面上の観察視野範囲５９の中心の略同一の点に向かって開口している。
【００４５】
前記構成において、検査中レンズカバー部３５の表面の観察視野範囲５９に体腔内の血液や、粘液等の体液や、汚物等が付着した場合には、送水ノズル９からの送水によってこれを除去する。
【００４６】
操作部２５に設けられた送気送水スイッチ４８にて送水操作の指示を行うと、流体制御装置２によって圧送された洗滌水が、送水管路１５を介して送水口５７より送水ノズル９内に圧送される。図５、及び図６に示すように洗滌水は送水ノズル上面部５３及び送水ノズル下面部５６によって流れの方向を変化させられ、レンズカバー部３５の表面に対して斜め前方より噴出する。
【００４７】
噴出された洗滌水は、レンズカバー部３５に斜め前方より当たることにより流れの幅が拡大された後、レンズカバー部３５の表面に沿って観察視野範囲５９に向かって流れ、観察視野範囲５９に付着した体液や汚物を洗い流す。
【００４８】
レンズカバー部３５の表面の体液や汚物を送水操作によって洗い流すと、レンズカバー部３５の表面に付着した水滴が観察視野範囲５９に残ってしまうことがあるがこの場合には、送気ノズル８からの送気によってこれを除去する。
【００４９】
すなわち、レンズカバー部３５に設けられた送気送水スイッチ４８にて送気操作の指示を行うと、流体制御装置２によって圧送された空気が送気管路１４を介して、送気口５５より送気ノズル８内に圧送される。図５、及び図７に示すように空気は、送気ノズル上面部５２及び送気ノズル下面部５４によって流れの方向を変化させられ、レンズカバー部３５の表面に対して斜め前方より噴出する。
【００５０】
噴出された空気はレンズカバー部３５に斜め前方より当たることにより流れの幅が拡大された後、レンズカバー部３５の表面に沿って観察視野範囲５９に向かって流れ、観察視野範囲５９に付着した水滴を吹き飛ばす。
【００５１】
以上の構成によれば本実施例では、送気ノズル８を送気ノズル上面部５２と送気ノズル下面部５４に分割し、また送水ノズル９を送水ノズル上面部５３と送水ノズル下面部５６に分割し、レンズカバー部３５に送気ノズル上面部５２、送水ノズル上面部５３を一体に設け、先端部本体５１に送気ノズル下面部５４及び送水ノズル下面部５６を一体に設けた構成となっている。この構成により、送気ノズル８又は送水ノズル９の内部空間は、従来例のようにアンダーカット部とならないためレンズカバー部３５の表面上を移動し表面を傷付ける恐れのあるスライド機構や、複雑なスライド機構を用いることなく、送気ノズル８及び送水ノズル９を容易に形成可能であり光学性能に影響を与えることがない。又、レンズカバー部３５と先端部本体５１を組み立てることにより送気ノズル８、送水ノズル９が形成されるため、先端カバー部６を構成する部品数が少なくなると共に、組み立ての手間も少なくなるため、先端カバー部６は非常に安価に製造することが可能である。
【００５２】
又、送気ノズル上面部５２，送水ノズル上面部５３，送気ノズル下面部５４，送水ノズル下面部５６の一部がレンズカバー部３５の表面に対して斜面に構成されているので、レンズカバー部３５の表面に向かって水及び空気が噴出するためレンズカバー部３５の送水による洗滌及び送気による水滴の除去を確実に行うことができる。又、送水の幅及び送気の幅を広くすることができるため、レンズカバー部３５の広い範囲の洗滌及び水滴の除去を確実に行うことができる。さらに、送気ノズル８及び送水ノズル９は観察視野範囲の中心に向かって開口しているので、視野範囲５９の全範囲を確実に洗滌することができると共に、視野範囲に付着して残っている水滴を確実に除去することができる。
よって観察性能が良く、安価に製作することができる。
【００５３】
又、コード等を先端部に設ける必要がないため、先端部が細径化できると共に水がたまることがないため、水滴が容易に除去可能である。
【００５４】
図８及び図９は本発明の第２実施例に係り、図８は挿入部カバー部の先端側斜視図、図９はカバー式内視鏡の先端側縦断面図である。
【００５５】
本第２実施例は、第１実施例とはレンズカバー部３５と先端部本体５１との接合部の構成が異なるのみである。その他、第１実施例と同様の構成及び作用については、同じ符号を付して説明を省略する。
【００５６】
図８、図９に示すようにレンズカバー部３５の外径は、先端部本体５１の外径と略同一であり、レンズカバー部３５の裏面、外周には凸部６０が形成されている。先端部本体５１には、レンズカバー部３５との接合面外周に、前記レンズカバー部３５の凸部６０が嵌合される凹部６１が設けられている。
【００５７】
レンズカバー部３５と先端部本体５１とは、送気ノズル上面部５２と送気ノズル下面部５４とが流路を形成し、及び送水ノズル上面部５３と送水ノズル下面部５６とが流路を形成するように位置決めされ、レンズカバー部３５の裏面と先端部本体５１とが接着又は溶着等の手段によって水密、気密的に接続固定されている。
【００５８】
レンズカバー部３５と先端部本体５１とが接続された状態では、レンズカバー部３５の表面は先端部本体５１の外周面に到るまで連続した面に構成されており、レンズカバー部３５の表面の観察視野範囲５９の近傍には継ぎ目や段差等がない構成となっている。
【００５９】
前記構成では、視野範囲５９の近傍は継ぎ目や段差等がなく円滑な表面を有しているので、レンズカバー部３５に体液や汚物が付着した場合でも送水を行えば、体液や汚物は継ぎ目や段差に付着することがないので、これらを容易に洗滌除去できる。又、同様にして送水による水滴の付着がしにくく、又、付着した場合でも、送気ノズル８からの送気によって容易に水滴を除去することができる。その他の作用は第１実施例に同じである。
【００６０】
本実施例では、第１実施例の効果に加え、更にレンズカバー部３５に付着した汚物や体液を容易に洗滌でき、レンズカバー部３５への送水による水滴の残留を防止すると共に、容易に送気によって水滴が除去可能で、観察性能を良好に保つことができる。
【００６１】
図１０及び図１１は本発明の第３実施例に係り、図１０は挿入部カバー部の先端正面図、図１１はカバー式内視鏡の先端側縦断面図である。
【００６２】
本第３実施例は、第１実施例とは先端カバー部６の構成が異なるのみで、その他、第１実施例と同様の構成及び作用については、同じ符号を付して説明を省略する。
【００６３】
図１０、図１１に示すように、先端カバー部６は、ＰＭＭＡ、ＰＣ、ＰＳ等の透明な光学用樹脂からなる光学窓であるレンズカバー部３５と、光を透過せずかつ光の反射率の少ない例えば黒色等の有色のＰＭＭＡ、ＰＣ、ＰＳ、変性ＰＰＯ、ポリサルフォン等の樹脂からなる先端部本体５１とが、成形時に一体に成形されている。すなわち２色成形法やインサート成形法等の射出成形法によって一体的に成形された前記先端構成部材であるレンズカバー一体先端部本体６７と、ノズル形成部材６８とから、先端カバー６は構成されている。
【００６４】
先端部本体５１には観察視野範囲５９の近傍にレンズカバー部３５の断面を通る照明光の光路を遮断し対物光学部３０への照明光の入射を防止し、フレアを防止するための遮光部材６３が設けられている。又、先端部本体５１には、送気ノズル下面部５４と送水ノズル下面部５６が設けられている。
【００６５】
一方、ノズル形成部材６８には送気ノズル上面部５２と送水ノズル上面部５３とが一体に設けられており、ＰＭＭＡ、ＰＣ、ＰＳ、変性ＰＰＯ、ポリサルフォン等の樹脂にて射出成形法によって成形されている。
【００６６】
ノズル形成部材６８はレンズカバー一体先端部本体６７に接着や、溶着等の手段によって固定され、固定された状態においては、送気ノズル上面部５２と送気ノズル下面部５４とから送気ノズル８が形成され、また送水ノズル上面部５３と送水ノズル下面部５６とから送水ノズル９が形成される。
【００６７】
前記送気ノズル上面部５２の開口側部分と送水ノズル上面部５３の開口側部分はレンズカバー部３５の表面に対して角度α、例えば５°〜３０°の角度を有する斜面として構成されている。このため、送気ノズル８、及び送水ノズル９からの流体の流出方向は、レンズカバー部３５の表面に対して、レンズカバー部３５の斜め前方より流出する構成となっている。
【００６８】
その他の構成及び作用効果は、第１実施例と同様で、説明を省略する。
【００６９】
図１２ないし図１４は本発明の第１参考例に係り、図１２は挿入部カバー部の正面図、図１３は光学系を含む位置でのカバー式内視鏡の先端側縦断面図、図１４はノズルを含む位置でのカバー式内視鏡の先端側縦断面図である。
【００７０】
本第１参考例は、第１実施例とは先端カバー部６の構成が異なるのみで、その他、第１実施例と同様の構成及び作用については、同じ符号を付して説明を省略する。
【００７１】
図１２ないし図１４に示すように、先端カバー部６はＰＭＭＡ、ＰＣ、ＰＳ等のような透明な光学用樹脂にて、射出成形法によって成形されたレンズカバー部３５と、ＰＭＭＡ、ＰＣ、ＰＳ、変性ＰＰＯ、ポリサルフォン等の樹脂にて射出成形法によって成形された先端部本体５１とを有している。レンズカバー部３５には、カバー用内視鏡４の対物光学系３０の先端側に対向する位置に対物レンズカバー部６６が設けられている。
【００７２】
レンズカバー部３５の先端面においては、対物レンズカバー部６６はレンズカバー部３５のその他の部分よりも、先端側へ例えば０．１〜０．３ｍｍ程度の範囲で突出した構成となっている。レンズカバー部３５は対物光学系３０及び照明光学系２９，２９を一つの部材でカバーしているため、表面積が広く、送水ノズルによる送水や送気ノズルによる送気をレンズカバー部３５の表面の全体に確実に行うのは困難である。
【００７３】
このため、送気ノズル８及び送水ノズル９の開口を対物レンズカバー部６６に向けることになるが、この場合、レンズカバー部３５の外周部分には洗滌除去できない体液や汚物に送水による水滴が付着し送気によっても水滴が除去できない場合がある。これらの水滴が検査中に対物レンズカバー部６６の観察視野範囲５９に移動し、観察視野に水滴が入り、観察に支障をきたすことになる。しかし、本参考例の構成においては、対物レンズカバー部６６をレンズカバー部３５のその他の部分よりも、先端側へ突出させた構成となっているため、対物レンズカバー部６６とレンズカバー部３５のその他の部分との段差に水滴が引っかかり、水滴は段差を乗り越えて、対物レンズカバー部６６の表面上に移動し、付着することがないので良好な視野を確保できる。
【００７４】
先端部本体５１は、内視鏡先端部３６を収納し、前記吸引管路１１と連通した吸引口１０が設けられている。
【００７５】
又、先端部本体５１には、送気ノズル上面部５２と送水ノズル上面部５３が設けられている。送気ノズル上面部５２の一部及び送水ノズル上面部５３の一部はレンズカバー部３５の表面に対して、角度α、例えば５°〜３０°の範囲の角度を有する斜面として構成されている。又レンズカバー部３５の接合部となるレンズカバー受け部５８が設けられている。
【００７６】
レンズカバー部３５はレンズカバー部３５の表面上に延出した送気ノズル上面部５２、送水ノズル上面部５３に対向するように配置されると共に、先端部本体５１に接着や溶着等の手段によって水密、気密に接続固定されている。この固定状態においては、送気ノズル上面部５２及び送水ノズル上面部５３は、レンズカバー部３５との外表面上に延出している。レンズカバー部３５の外表面のうちこの外表面上に延出した送気ノズル上面部５２に覆われた部分が送気ノズル下面部５４を構成し、送気ノズル上面部５２と送気ノズル下面部５４とから前記送気ノズル８が形成されている。また、送水ノズル上面部５３と送水ノズル下面部５６とから前記送水ノズル９が同様に形成される。
【００７７】
本参考例の構成によれば、送気ノズル８を送気ノズル上面部５２と送気ノズル下面部５４に分割し、送水ノズル９を送水ノズル上面部５３と送水ノズル下面部５６に分割し、先端部本体５１に送気ノズル上面部５２と送水ノズル上面部５３を一体に各々設け、レンズカバー部３５に送気ノズル下面部５４と送水ノズル下面部５６を一体に設けて、レンズカバー部３５と先端部本体５１を組み立てた際に送気ノズル８及び送水ノズル９が形成される構成となっている。従って、レンズカバー部３５を成形する際には、従来例のようにレンズカバー部３５の表面上を移動し、表面を傷付けてしまう恐れのあるスライド機構は不要となるため、光学性能に影響を与えることがない。
【００７８】
又、先端部本体５１の成形時にはスライド機構を用いれば、本参考例のように送気ノズル８及び送水ノズル９の内部の空間よりも送気ノズル８、送水ノズル９の水や空気が噴出される開口部のほうが狭く形成できる。従って、従来例が内部を成形するためのスライド機構が使えず、樹脂による射出成形によっては成形不可能であったの対して、本参考例の構成によれば、容易に送気ノズル８、送水ノズル９を形成することができる。
【００７９】
又、レンズカバー部３５と先端部本体５１を組み立てることにより送気ノズル８、送水ノズル９が形成されるため、先端カバー部６を構成する部品数が少なくできると共に組み立ての手間も少なくなるため、先端部カバー部６は非常に安価に製造可能である。又、送気ノズル上面部５２の一部及び送水ノズル上面部５３の一部は、レンズカバー部３５の表面に対して、斜面として構成されているため、送気操作、送水操作の際に、確実にレンズカバー部３５の表面に向かって水及び空気が噴出する。従って、対物レンズカバー部６６の送水による洗滌及び送気による水滴の除去を容易に行うことができる。
【００８０】
又、送水の幅及び送気の幅をレンズカバー部３５の表面で広くすることができるため、対物レンズカバー部６６の広い範囲の洗滌及び水滴の除去を確実に行うことができる。
【００８１】
又、送気ノズル下面部５４及び送水ノズル下面部５６とレンズカバー部３５の外表面とは段部や隙間のない平坦な連続した面となっているので、体液や汚物が付着しても容易に洗滌可能であり、水滴が付着しにくく、付着した場合でも容易に除去できる。
【００８２】
又、レンズカバー部３５は送気ノズル上面部５２及び送水ノズル上面部５３に突き当てられて固定されているため、レンズカバー部３５が体腔内に脱落しにくい。
【００８３】
図１５は、本発明の第２参考例に係るカバー式内視鏡の先端側縦断面図である。
【００８４】
本第２参考例は、先端カバー６の先端部本体５１に設けられた送気ノズル上面部５２及び送水ノズル上面部５３の形状と、レンズカバー部３５の形状が異なるのみで、その他、第１実施例と同様の構成及び作用については、同じ符号を付して説明を省略する。
【００８５】
図１５に示すように、先端部本体５１に設けられた送気ノズル上面部５２及び送水ノズル上面部５３は、先端部本体５１の先端面に対して略水平な面として設けられている。
【００８６】
レンズカバー部３５は、先端部本体５１に設けられたレンズカバー受け部５８に接着又は、溶着等の手段によって、水密、気密に接続固定されており、この状態においてはレンズカバー部３５の表面は送気ノズル上面部５２及び送水ノズル上面部５３に対して角度α、例えば２°〜３０°の範囲の角度を有する斜面として構成されている。又、送気ノズル上面部５２及び送水ノズル上面部５３は、レンズカバー部３５の表面上にそれぞれ延出している。
【００８７】
レンズカバー部３５の外表面のうちこの外表面上に延出した送気ノズル上面部５２に覆われた部分が、送気ノズル下面部５４を構成している。同様にして延出した送水ノズル上面部５３に覆われた部分が、送水ノズル下面部５６を構成している。
【００８８】
そして、送気ノズル上面部５２と送気ノズル下面部５４から送気ノズル８が形成されており、送水ノズル上面部５３と送水ノズル下面部５６とから送水ノズル９が形成されている。
【００８９】
カバー用内視鏡４の３６に設けられた対物光学系３０は、内視鏡先端部３６の先端方向より前記角度α傾いた方向を観察する斜視用の光学系でもよいし、角度αが小さければ、対物光学系３０とレンズカバー部３５との間の距離は小さいため特に光学的な悪影響はないので、内視鏡先端部３６の先端方向を観察する直視用の光学系としてもよい。
【００９０】
なお、送気ノズル下面部５４は、レンズカバー部３５の外表面上に延出した送気ノズル上面部５２に覆われた部分と、先端部本体５１の一部とで構成してもよい。
【００９１】
その他の構成及び作用効果は、第１参考例と同様で、説明を省略する。
【００９２】
尚、本発明においてはカバー方式の内視鏡の内視鏡カバーに限定されず、通常の内視鏡の先端部において同様の構成を用いれば、同様の効果が得られる。すなわち各実施例において、カバー用内視鏡４のレンズカバー部３５を内視鏡の先端部に設けられた対物光学系の最先端の光学レンズとし、カバー用内視鏡４の先端部本体５１を前記対物光学系や照明光学系等の光学部材や個体撮像素子等を収納する内視鏡の先端部本体として構成すれば良い。
【００９３】
又、軟性鏡に限らず挿入部が硬性である硬性鏡やカバー方式の硬性鏡でも良く、先端部に光学窓を有する光学窓部材と光学窓部材とは別体の先端構成部材を有し、光学窓部材の一部と先端構成部材の一部とから、流体ノズルを形成すると共にノズルから噴出する流体が光学窓に対して斜め前方より光学窓の表面に向かって噴出するように、ノズルの上面部と下面部を形成している構成ならば良い。
【００９４】
又、流体ノズルは複数でなく一つでも良く、送気管路と送水管路とを先端部近傍で合流させて一つのノズルに連通し一つのノズルから水の噴出と空気の噴出ができるような構成としても良い。
【００９５】
又、レンズカバー部３５等の光学窓部材は光学用樹脂に限定されずノズルの一部が一体に形成可能であれば光学用のガラスから構成しても良く、先端部本体５１やノズル形成部材６８等の先端構成部材も、ノズルの一部が一体に形成可能であれば樹脂だけでなく金属やセラミック等から構成しても良い。
【００９６】
次に、第３参考例について説明する。
図１６ないし図１８には、内視鏡カバー３を収納し輸送及び保管するためのパッケージ７０を示す。
【００９７】
このパッケージ７０は、図１７に示すように、内視鏡カバー３を滅菌状態にて収納する滅菌パック７１と、この滅菌パック７１を収納するＰＥＴ（ポリエチレンタフタレート）、ＰＥ（ポリエチレン）等のリサイクル可能な高分子材料からなる袋部材７２とから構成されている。
【００９８】
図１８に示すように、滅菌パック７１は、少なくとも一部が通気性はあるが、細菌を通さない、０．２μｍ以下の通気孔を有する高分子材料又は紙からなるベース部材７３と、ＰＥＴ、ＰＥ等のリサイクル可能な高分子材料からなる蓋部材７４とから構成されている。
【００９９】
内視鏡カバー３は軟性の挿入部カバー部５が自然長に保持された状態でベース部材７３に保持され、先端カバー部６と基端構成部７とを固定テープ部材７５によってベース部材７３に固定され、蓋部材７４が被せられている。
【０１００】
又、蓋部材７４の外縁部分をベース部材７３の外縁部分とがヒートシール等の溶着や接着等によって貼り合わされて、内視鏡カバー３を密封している。
【０１０１】
滅菌パック７１は内視鏡カバー３が密封された後、エチレンオキサイド滅菌等の手段によって滅菌の工程が行われ、滅菌パック７１に密封された内視鏡カバーは滅菌され、滅菌パック７１を開封するまでは滅菌状態に保たれる。
【０１０２】
滅菌パック７１は滅菌が行われた後、袋部材７２に収納される。袋部材７２は、袋部材７２の内部の大気を脱気された後、炭酸ガスや窒素ガス等の人体に対して毒性の無いガスが少なくとも袋部材７２の自然状態での容積以上の量が送り込まれ、袋部材の開口部の縁部分を溶着や接着等の手段により貼り合わされて、滅菌パック７１及び封入されたガスとを袋部材７２の内部が加圧された状態で密封されている。
【０１０３】
ところで内視鏡カバー３の内部に湿気があると、内視鏡カバー３にカバー用内視鏡４を装着して、検査を行う際にレンズカバー部３５が曇って、観察が行えなくなることがある。このため本参考例では、袋部材７２に乾燥剤７６を封入しており、袋部材７２の内部及び内視鏡カバー３の内部を乾燥状態に保っている。このため、検査時にレンズカバー部３５に曇りが発生することがない。
【０１０４】
前記構成では、輸送中や保管中においてパッケージ７０は加圧状態に保たれているため、軟性の袋部材の外形状は保たれるためダンボール等への梱包時にも容易に取り扱うことができると共にパッケージ７０がつぶれることがなく、又、外部からの衝撃に対しては封入されたガスが衝撃を吸収するため内視鏡カバー３が破損することがない。
【０１０５】
又、内視鏡カバー３は挿入部カバー部５が自然長となるように固定されているため、パッケージ７０の内部で内視鏡カバー３があばれて、挿入部カバー部５がつぶれたり、折れたりすることがないので、曲がり癖や折れ癖が付くことがない。
【０１０６】
輸送中や保管中にパッケージ７０が破損した場合には、破損した部分から袋部材７２に加圧状態で密封されていたガスが外部へ噴出するためパッケージ７０はしぼんだ状態となるので一目で滅菌状態が保持されていない可能性のある内視鏡カバー３を認知することができ、滅菌状態でない内視鏡カバー３を検査に使用することがないため安全である。
【０１０７】
内視鏡検査時に袋部材７２を開封し滅菌パック７１を取り出し、基端構成部７側の滅菌パック７１の一端を開封し開封した口より、カバー用内視鏡４の挿入部２４を滅菌パック７１の内部に固定された状態の基端構成部７より内視鏡カバー３に挿入し、内視鏡カバー３が滅菌パック７１に被された状態のまま、内視鏡カバー３とカバー用内視鏡４の装着を完了する。
【０１０８】
検査開始直前に内視鏡カバー３が装着されたカバー用内視鏡４を滅菌パック７１より引き抜くと、固定テープ部材７５が外れて内視鏡カバー３はベース部材７３から外れ、滅菌パック７１を内視鏡カバー３が装着されたカバー用内視鏡４から取り外すことができ、検査を開始することができる。
【０１０９】
検査直前に滅菌パック７１を内視鏡カバー３から取り外すことにより、内視鏡カバー３のカバー用内視鏡４への装着時に、内視鏡カバー３が汚染されることを防止することができ、確実に滅菌状態の内視鏡カバー３を使用することができるため、患者への汚染の危険がないので安全である。
【０１１０】
取り外された滅菌パック７１及び袋部材７２は内容物がなくなれば、単なるシート状の形態となるので、容積はほとんどなく廃棄のためのスペースが少ない。又、これらを回収して再利用する場合でも輸送や保管のためのスペースが少ない。
【０１１１】
以上の構成によれば、挿入部カバー部５に折れ癖や、曲がり癖が付くことがなく、カバー用内視鏡４と内視鏡カバー３との装着が容易であり、湾曲操作時にも湾曲性能へ悪影響を与えることがないので、操作性の良い内視鏡装置を提供できる。
【０１１２】
又、滅菌状態でない内視鏡カバー３を検査に使用することがないので、安全な内視鏡装置を提供できる。さらに、廃棄性がよく、保管スペースや輸送のためのスペースが少なくかつ安価な内視鏡カバーのパッケージを提供できる。
【０１１３】
そして、内視鏡カバーの輸送中や、保管中に内視鏡カバーが破損することがなく、輸送や保管のためのスペースが少なく、廃棄性の良い安価な内視鏡カバーのパッケージを提供することができる。
【０１１４】
又、内視鏡カバーが確実に滅菌された状態で検査に使用可能な安全な内視鏡カバーのパッケージを提供することができる。
【０１１５】
［付記］
以上詳述したように本発明の第１乃至第３実施例および第１乃至第３参考例によれば、以下のような構成を得ることができる。すなわち、
（１−１）流体を移送する流体路と、挿入部の先端部に設けられた先端構成部材と、光学窓を有する光学窓部材と、前記流体路の先端部に設けた前記光学窓に流体を噴出するための少なくとも一つの流体ノズルと、を有する内視鏡において、前記先端構成部材の一部と、前記光学窓部材の一部又はノズル形成部材の少なくとも一方とから前記流体ノズルを構成すると共に、前記光学窓の表面に向かって流体を噴出させる方向が前記光学窓の表面に対して斜めとなるように、前記流体ノズルまたは前記光学窓部材の少なくとも一方を配置し構成している、内視鏡。
【０１１６】
（１−２）光学系を有する内視鏡とこの内視鏡の挿入部を覆う内視鏡カバーとを有しており、流体を移送するための流体路と、前記挿入部の先端を覆う先端構成部材と、前記光学系に対向するように配置される光学窓を有する光学窓部材と、前記光学窓に流体を噴出するための少なくとも一つの流体ノズルとが前記内視鏡カバーに設けられているカバー式内視鏡において、前記先端構成部材の一部と、前記光学窓部材の一部又はノズル形成部材の少なくとも一方とから前記流体ノズルを構成すると共に、前記光学窓の表面に向かって流体を噴出させる方向が前記光学窓の表面に対して斜めとなるように、前記流体ノズルまたは前記光学窓部材の少なくとも一方を配置し構成しているカバー式内視鏡。
【０１１７】
（２）流体を移送する流体路と、挿入部の先端部に設けられた先端構成部材と、光学窓を有する光学窓部材と、前記流体路の先端部に設けた前記光学窓に流体を噴出するための少なくとも一つの流体ノズルと、を有する内視鏡において、前記流体ノズルは前記流体路の一端が開口したノズル下面部と、このノズル下面部と対向しかつ前記流体路の開口から流出する流体の流れの方向を変えるノズル上面部とから構成されており、前記ノズル上面部は前記先端構成部材の一部、又は光学窓部材の一部又はノズル形成部材からなり、前記ノズル下面部は先端構成部材の一部又は光学窓部材の一部の少なくとも一方からなると共に、前記光学窓の表面に向かって流体を噴出させる方向が前記光学窓の表面に対して斜めとなるように、前記流体ノズルまたは前記光学窓部材の少なくとも一方を配置し構成している内視鏡。
【０１１８】
（３）光学系を有する内視鏡とこの内視鏡の挿入部を覆う内視鏡カバーとを有しており、流体を移送するための流体路と、前記挿入部の先端を覆う先端構成部材と、前記光学系に対向するように配置される光学窓を有する光学窓部材と、前記光学窓に流体を噴出するための少なくとも一つの流体ノズルとが前記内視鏡カバーに設けられているカバー式内視鏡において、前記流体ノズルは前記流体路の一端が開口したノズル下面部と、このノズル下面部と対向しかつ前記流体路の開口から流出する流体の流れの方向を変えるノズル上面部とから構成されており、前記ノズル上面部は前記先端構成部材の一部又は光学窓部材の一部又はノズル形成部材からなり、前記ノズル下面部は先端構成部材の一部又は光学窓部材の一部の少なくとも一方からなると共に、前記光学窓の表面に向かって流体を噴出させる方向が前記光学窓の表面に対して斜めとなるように、前記流体ノズルまたは前記光学窓部材の少なくとも一方を配置し構成しているカバー式内視鏡。
【０１１９】
（４）前記光学窓部材と先端構成部材とを一体で構成した付記１−１に記載の内視鏡又は付記１−２に記載のカバー式内視鏡。
【０１２０】
（５）前記光学窓部材と先端構成部材とを一体で構成し、前記先端構成部材に相当する部分は光学的に不透明な樹脂からなり、前記光学窓部材に相当する部分は透明な樹脂からなる二色成形法なる射出成形法にて一体に形成した付記１−１に記載の内視鏡又は付記１−２に記載のカバー式内視鏡。
【０１２１】
（６）前記光学窓部材が前記先端構成部材の前面全体を覆うように配置される付記１−１に記載の内視鏡又は付記１−２に記載のカバー式内視鏡。
【０１２２】
付記６に記載の内視鏡又はカバー式内視鏡は、光学窓の外表面近傍にすき間や段差あるいは接着剤のはみ出し等をなくせるので、光学窓の外表面近傍に体液や汚物が付着し難く、流体例えば水が溜まることがなく残水の除去性能が良く、大量かつ安価に製造可能である。
【０１２３】
（７）前記ノズル上面部は前記ノズル形成部材からなり、前記ノズル下面部は前記先端構成部材の一部から構成されている付記２に記載の内視鏡又は付記３に記載のカバー式内視鏡。
【０１２４】
付記７に記載の構成で、流体ノズルの内部が成形時にアンダーカットとならないため、流体ノズル成形のためのスライド機構が不要となり成形のための型が単純となるので、射出成形法によって安価かつ大量に製造できる。
【０１２５】
（８）前記ノズル上面部は、前記光学窓部材の一部からなり、前記ノズル下面部は前記先端構成部材の一部から構成されている付記２に記載の内視鏡又は付記３に記載のカバー式内視鏡。
【０１２６】
付記８に記載の構成で、流体ノズルの内部が成形時にアンダーカットとならないため、流体ノズル成形のためのスライド機構が不要となり成形のための型が単純となるので、射出成形除去によって安価かつ大量に製造できる。
【０１２７】
（９）前記ノズル上面部は前記ノズル形成部材からなり、前記ノズル下面部は、前記光学窓部材と一体に構成された前記先端構成部材の一部から構成されている付記２に記載の内視鏡又は付記３に記載のカバー式内視鏡。
【０１２８】
（１０）前記ノズル上面部は前記先端構成部材の一部からなり、前記ノズル下面部は前記光学窓部材の一部からなる付記２に記載の内視鏡又は付記３に記載のカバー式内視鏡。
【０１２９】
（１１）前記ノズル上面部は、前記流体の流路のうち少なくとも流体が噴出する開口側が前記光学窓の表面に対して斜めに形成されている付記２に記載の内視鏡又は付記３に記載のカバー式内視鏡。
【０１３０】
（１２）前記ノズル上面部は、前記流体の流路のうち少なくとも流体が噴出する開口側が前記先端構成部材の先端面に対して斜めに形成されている付記２に記載の内視鏡又は付記３に記載のカバー式内視鏡。
【０１３１】
（１３）前記ノズル下面部は、前記流体の流路のうち少なくとも流体が噴出する開口側が前記光学窓の表面に対して斜めに形成されている付記２に記載の内視鏡又は付記３に記載のカバー式内視鏡。
【０１３２】
（１４）前記ノズル下面部は、前記流体の流路のうち少なくとも流体が噴出する開口側が前記先端構成部材の先端面に対して斜めに形成されている付記２に記載の内視鏡又は付記３に記載のカバー式内視鏡。
【０１３３】
（１５）前記光学部材の光学窓は、その表面が、前記ノズル上面部内の前記流体の流路に対して斜めに配置されている付記２に記載の内視鏡又は付記３に記載のカバー式内視鏡。
【０１３４】
（１６）前記光学部材の光学窓は、その表面が、前記先端構成部材の先端面に対して斜めに配置されている付記２に記載の内視鏡、又は付記３に記載のカバー式内視鏡。
【０１３５】
（１７）前記流体ノズルは２つ以上設けており、各流体ノズルの開口が前記光学窓の表面の略同一の点に向けて開口している付記１−１に記載の内視鏡、付記１−２に記載のカバー式内視鏡、付記２に記載の内視鏡、又は付記３に記載のカバー式内視鏡のうちいずれか一つのもの。
【０１３６】
付記１７に記載の内視鏡又はカバー式内視鏡は、前記二つの流体ノズルとして例えば送水を行うノズルと送気を行うノズルとがあり、これらが光学窓例えば観察窓の中心の略同一点に向かって開口しているため、送気ノズルからの気体の噴出と、送水ノズルからの水の噴出が光学窓の略同一の範囲に行われる。従って、光学窓部材における視野範囲の洗滌性や残水の除去能力が良く、大量かつ安価に製造可能である。
【０１３７】
（１８）前記内視鏡は挿入部が軟性の部材からなり、前記内視鏡カバーは軟性の部材からなる付記１−２又は付記３に記載のカバー式内視鏡。
【０１３８】
（１９）前記内視鏡は挿入部が硬質の部材からなり、前記内視鏡カバーは硬質の部材からなる付記１−２又は付記３に記載のカバー式内視鏡。
【０１３９】
（２０）内視鏡の挿入部をカバーする内視鏡カバーを輸送、保管するための内視鏡カバーパッケージにおいて、
前記内視鏡カバーパッケージを気密性を有する軟性の袋部材で構成してある内視鏡カバーパッケージ。
【０１４０】
（２１）内視鏡カバーを収納後に、パッケージの内部が加圧状態となるように袋部材に気体を封入する付記２０に記載の内視鏡カバーパッケージ。
【０１４１】
付記２１に記載の構成では、軟性の袋部材の内部を加圧状態となるように気体を封入して、内視鏡カバーを収納するので、輸送中や保管中の外部からの衝撃を封入された気体が吸収するため、内視鏡カバーが破損することがない。
【０１４２】
また、内視鏡カバーを取り出した後は、パッケージは気体が抜けてシート状の形態となり廃棄される。
【０１４３】
（２２）内視鏡カバーを収納した状態で、内視鏡カバーを滅菌するための滅菌パックを前記袋部材に収納する付記２０に記載の内視鏡カバーパッケージ。
【０１４４】
（２３）前記滅菌パックは少なくとも一部に通気性を有すると共に、細菌を通過できない通気孔を有する付記２０に記載の内視鏡カバーパッケージ。
【０１４５】
付記２２又は付記２３に記載の構成では、内視鏡カバーが使用直前まで滅菌状態が保たれるので、内視鏡カバーが確実に滅菌された状態から使用でき、衛生的である。
【０１４６】
（２４）前記内視鏡カバーのうち内視鏡挿入部を被覆する挿入部カバー部の長さを自然長に保持した状態で前記内視鏡カバーを収納した付記２０に記載の内視鏡カバーパッケージ。
【０１４７】
（２５）内視鏡カバーの先端構成部と基端構成部とを定位置に固定する固定部材を設けた付記２０に記載の内視鏡カバーパッケージ。
【０１４８】
（２６）内視鏡カバー及び内視鏡の装着時に内視鏡の挿入部を挿入するための開口部を前記袋部材に設けた付記２０に記載の内視鏡カバーパッケージ。
【０１４９】
（２７）前記袋部材に封入する気体は炭酸ガスである付記２１に記載の内視鏡カバーパッケージ。
【０１５０】
（２８）前記袋部材に封入する気体は窒素ガスである付記２１に記載の内視鏡カバーパッケージ。
【０１５１】
（２９）当該カバーパッケージはリサイクル可能な高分子材料からなる付記２０に記載の内視鏡カバーパッケージ。
【０１５２】
付記２９に記載の構成では、パッケージに使用された材料がリサイクルでき、廃棄性を良くできる。
【０１５３】
（３０）前記袋部材は、その内部に乾燥剤を封入する付記２０に記載の内視鏡カバーパッケージ。
【０１５４】
付記２０〜付記３０に記載の構成では、内視鏡カバーが破損することがなく、輸送や保管のためのスペースが少なく、安価でかつ廃棄性を良くすることができる。
【０１５５】
付記３０に記載の構成では、パッケージの内部を除湿し内視鏡カバーの光学部材の曇りを防止でき、内視鏡の観察性能を良好に保持できる。
【０１５６】
【発明の効果】
以上説明したように本発明の内視鏡によれば、ノズルからの送水による観察窓の洗滌及びノズルからの送気による観察窓表面に付着した水滴の除去の能力が良くして製造観察性能を良くでき、ノズル部分が大量かつ安価に製造できるという効果を有する。
【図面の簡単な説明】
【図１】図１ないし図７は第１実施例に係り、図１は内視鏡装置の全体構成を示した構成図。
【図２】図２は挿入部カバー部の先端側斜視図。
【図３】図３はカバー式内視鏡の先端側正面図。
【図４】図４はカバー式内視鏡の先端側縦断面図。
【図５】図５は送気、送水の流れを説明するための縦断面図。
【図６】図６は送水の流れを説明するための先端正面図。
【図７】図７は送気の流れを説明するための先端正面図。
【図８】図８及び図９は第２実施例に係り、図８は挿入部カバー部の先端側斜視図。
【図９】図９はカバー式内視鏡の先端側縦断面図。
【図１０】図１０及び図１１は第３実施例に係り、図１０は挿入部カバー部の先端正面図。
【図１１】図１１はカバー式内視鏡の先端側縦断面図。
【図１２】図１２ないし図１４は第１参考例に係り、図１２は挿入部カバー部の正図。
【図１３】図１３は光学系を含む位置でのカバー式内視鏡の先端側縦断面図。
【図１４】図１４はノズルを含む位置でのカバー式内視鏡の先端側縦断面図。
【図１５】図１５は第２参考例に係るカバー式内視の先端側縦断面図。
【図１６】図１６は第３参考例に係り、パッケージの外観図。
【図１７】図１７はパッケージの構成を示す破断図。
【図１８】図１８は滅菌パックと袋部材との組合わせの説明図。
【符号の説明】
１…カバー式内視鏡
３…内視鏡カバー
４…カバー用内視鏡
５…挿入部カバー部
１１，１４，１５…吸引，送気，送水管路
８…送気ノズル
９…送水ノズル
３５…レンズカバー部
５１…先端部本体
５２…送気ノズル上面部
５４…送気ノズル下面部
５３…送水ノズル上面部
５６…送水ノズル下面部
【図１】
0003556294.tif 000002
【図２】
0003556294.tif 000003
【図３】
0003556294.tif 000004
【図４】
0003556294.tif 000005
【図５】
0003556294.tif 000006
【図６】
0003556294.tif 000007
【図７】
0003556294.tif 000008
【図８】
0003556294.tif 000009
【図９】
0003556294.tif 000010
【図１０】
0003556294.tif 000011
【図１１】
0003556294.tif 000012
【図１２】
0003556294.tif 000013
【図１３】
0003556294.tif 000014
【図１４】
0003556294.tif 000015
【図１５】
0003556294.tif 000016
【図１６】
0003556294.tif 000017
【図１７】
0003556294.tif 000018
【図１８】
0003556294.tif 000019